(57)【要約】【課題】  消費電極を減少させ，かつ，表示パネルの輝度を改善させる。【解決手段】  マトリックス状に配置された複数の走査電極とデータ電極とを備え，上記走査電極と上記データ電極との間に印加される電圧に応じて映像を表示する表示パネル１００と，上記データ電極に，データ信号として第１レベルの電圧を印加し，データ信号を伝達しないときには第２レベルの電圧を印加するデータ電極駆動部２００と，上記複数の走査電極のうち選択された走査電極には第３レベルの電圧を印加し，選択されていない走査電極には第４レベルの電圧を印加する走査電極駆動部３００と，映像信号の階調情報を用いて上記第４レベルの電圧を制御する電圧補償部５００と，を含むことを特徴とする，電子放出表示装置が提供される。【選択図】    図５
2005316479.tif 000002
【特許請求の範囲】
【請求項１】
マトリックス状に配置された複数の走査電極とデータ電極とを備え，前記走査電極と前記データ電極との間に印加される電圧に応じて映像を表示する表示パネルと；
前記データ電極に，データ信号として第１レベルの電圧を印加し，データ信号を伝達しないときには第２レベルの電圧を印加するデータ電極駆動部と；
前記複数の走査電極のうち選択された走査電極には第３レベルの電圧を印加し，選択されていない走査電極には第４レベルの電圧を印加する走査電極駆動部と；
映像信号の階調情報を用いて前記第４レベルの電圧を制御する電圧補償部と；
を含むことを特徴とする，電子放出表示装置。
【請求項２】
前記映像信号をガンマー補正して前記データ電極駆動部へ伝送し，前記映像信号の前記階調情報を抽出して前記電圧補償部へ出力する映像信号処理部をさらに含むことを特徴とする，請求項１記載の電子放出表示装置。
【請求項３】
前記映像信号処理部は，前記映像信号の階調情報をフレーム別に前記電圧補償部へ出力することを特徴とする，請求項２記載の電子放出表示装置。
【請求項４】
前記電圧補償部は，前記非選択走査電極に印加される前記第４レベルの電圧をフレーム別に制御することを特徴とする，請求項１〜３記載の何れかに記載の電子放出表示装置。
【請求項５】
前記データ電極駆動部は，前記映像信号に応じて，前記第１レベルの電圧が前記データ電極に印加される期間を制御することを特徴とする，請求項１記載の電子放出表示装置。
【請求項６】
前記電圧補償部は，前記第４レベルの電圧を，前記第１レベルと第２レベル間の電圧範囲で設定することを特徴とする，請求項１〜５記載の何れかに記載の電子放出表示装置。
【請求項７】
前記電圧補償部は，前記第４レベルの電圧を下記数式１で算出することを特徴とする，請求項６記載の電子放出表示装置。
【数１】
2005316479.tif 000009
ただし，前記第４レベルの電圧をＶ４，前記走査電極の選択期間と，この期間の間に前記データ電極に前記第１レベルの電圧が印加される期間との比をｔｄ，前記第１レベルの電圧をＶ１，前記第２レベルの電圧をＶ２とする。
【請求項８】
前記第３レベルの電圧は，一定に維持されることを特徴とする，請求項１記載の電子放出表示装置。
【請求項９】
前記電圧補償部は，前記映像信号の階調情報を用いて，前記データ電極に印加される前記第１レベルの電圧をさらに制御することを特徴とする，請求項１記載の電子放出表示装置。
【請求項１０】
マトリックス状に配置された複数の走査電極とデータ電極とを備え，前記走査電極と前記データ電極との間に印加される電圧に応じて映像を表示する表示パネルと；
前記データ電極に，映像信号に対応するデータ信号を印加するデータ電極駆動部と；
前記走査電極に走査信号を印加する走査電極駆動部と；
を含み，
前記走査電極駆動部は，前記走査信号の電圧レベルを前記映像信号に対応して変化させることを特徴とする，電子放出表示装置。
【請求項１１】
前記走査電極駆動部は，前記複数の走査電極のうち選択されていない走査電極に印加される電圧を変化させることを特徴とする，請求項１０記載の電子放出表示装置。
【請求項１２】
前記走査電極駆動部は，前記映像信号のフレーム別の階調情報を用いて前記走査信号の電圧レベルを変化させることを特徴とする，請求項１０または１１記載の何れかに記載の電子放出表示装置。
【請求項１３】
前記データ電圧が第１および第２レベルの電圧を有する場合，前記選択されていない走査電極に印加される電圧は，前記第１レベルと第２レベル間の電圧範囲で設定されることを特徴とする，請求項１２記載の電子放出表示装置。
【請求項１４】
マトリックス状に配置された複数の走査電極とデータ電極とを備え，前記走査電極と前記データ電極との間に印加される電圧に応じて映像を表示する表示パネルの駆動方法において：
前記データ電極に，前記映像信号に対応するデータ信号を印加する第１段階と；
前記複数の走査電極に第３レベルの走査パルスを順次印加した後，第４レベルの電圧を維持する第２段階と；
を含み，
前記第４レベルの電圧は一つのフレームと他のフレームでお互い異なるように設定されることを特徴とする，表示パネルの駆動方法。
【請求項１５】
前記第４レベルの電圧は前記映像信号の階調情報を用いて設定されることを特徴とする，請求項１４記載の表示パネルの駆動方法。
【発明の詳細な説明】
【技術分野】
【０００１】
本発明は，表示装置に係り，さらに詳しくは，電子放出表示装置（Ｅｌｅｃｔｒｏｎ
Ｅｍｉｓｓｉｏｎ Ｄｉｓｐｌａｙ）およびその駆動方法に関する。
【背景技術】
【０００２】
一般に，フラットパネル表示装置（ＦＰＤ：Ｆｌａｔ Ｐａｎｅｌ Ｄｉｓｐｌａｙ）は，両基板の間に側壁を立てて密閉容器を形成し，この容器の内部に適切な素材を配置して所望の画面を表示する装置である。近日，マルチメディアの発達に伴いその重要性が増大しつつある。このようにして，液晶ディスプレイ（ＬＣＤ），プラズマディスプレイパネル（ＰＤＰ），電子放出表示装置などの様々な平板（フラットパネル）型ディスプレイが実用化されている。
【０００３】
特に，電子放出表示装置は，陰極線管（ＣＲＴ）と同様に電子線による蛍光体発光を利用しているので，陰極線管（ＣＲＴ）の優れた特性を保ちつつ，かつ，画像を歪ませることなく，低消費電力の平面型ディスプレイに適応できる可能性が高い。また，電子放出表示装置は，視野角，高速応答，高輝度，高精細，薄型などの観点からも満足でき，次世代ディスプレイとして注目を浴びている。
【０００４】
この種の電子放出表示装置は，熱陰極（Ｈｏｔ Ｃａｔｈｏｄｅ）を用いるのではなく，冷陰極を用いている。このような冷陰極型電子放出表示装置は，ＦＥＤ（Ｆｉｅｌｄ Ｅｍｉｓｓｉｏｎ Ｄｉｓｐｌａｙ），ＳＥＤ（Ｓｕｒｆａｃｅ Ｃｏｎｄｕｃｔｉｏｎ Ｅｍｉｔｔｉｎｇ Ｄｉｓｐｌａｙ），ＭＩＭ（Ｍｅｔａｌ Ｉｎｓｕｌａｔｏｒ  Ｍｅｔａｌ）に大別される。
【０００５】
図１および図２は，電子放出表示装置を示し，図１は，電子放出表示装置の表示パネル１０の部分分解斜視図，図２は，表示パネル１０の断面図である。
【０００６】
図１および図２に示すように，電子放出表示装置は，表示される面に対する後面基板１と前面基板２から構成される。上記後面基板１上にはカソード電極１１とゲート電極１２が絶縁層を介して形成される。また，カソード電極１１およびゲート電極１２に印加される電圧によって電子を放出するエミッタ１３がカソード電極１１上に形成される（図２参照）。
【０００７】
上記前面基板２は，後面基板１に対向して形成される。該前面基板２上には，エミッタ１３から放出された電子を引き込むためのアノード電極１４が形成される。また，アノード電極１４上には，Ｒ，Ｇ，Ｂ蛍光体からなる蛍光面１５が形成され，該蛍光面１５に引き込まれた電子が衝突して発光する。
【０００８】
このように構成された電子放出表示装置は，陰極，すなわちエミッタ１３に高電界を集中して量子力学的なトンネル効果によって電子を放出させ，エミッタ１３からの放出電子は，カソード電極１１とゲート電極１２との間に印加された電圧によって加速し，アノード電極１４に形成されたＲ，Ｇ，Ｂ蛍光面１５と衝突する。これにより，蛍光体が発光して映像が表示される。
【０００９】
放出された電子が蛍光面１５に衝突することにより表示される映像の輝度は，入力されるデジタル映像信号の値に応じて変えることができる。例えば，デジタル映像信号の値が，それぞれ８ビットのＲＧＢデータから構成されるとする。すなわち，デジタル映像信号の値は０（００００００００（２））〜２５５（１１１１１１１１（２））となることができる（括弧の中は２進数を示す。）。ここでは２５６個の値によって２５６階調が表現できる。また，このデジタル値に応じて色の輝度も表現される。
【００１０】
図３は，従来の電子放出表示装置を示す図であり，図４は，従来の電子放出表示装置の駆動波形図である。
【００１１】
図３に示すように，従来の電子放出表示装置は，表示パネル１０，データ電極駆動部２０，および走査電極駆動部３０とを含む。
【００１２】
データ電極駆動部２０は，データ電極Ｄ１〜ＤｍにデータパルスＶＤを印加し，走査電極駆動部３０は，走査電極Ｓ１〜Ｓｎに走査パルスＶＳを順次印加する。従来の駆動方法において，データパルスＶＤの低レベル電圧は，走査パルスＶＳの高レベル電圧と同一になるよう設定され，一般に，図４に示したように０Ｖが適用される。
【００１３】
上記のように，データ電極Ｄ１〜Ｄｍに正のデータパルスＶＤを印加し，走査電極Ｓ１〜Ｓｎに負の走査電極パルスＶＳを印加することにより，パネル１０に所望の映像を表示することが可能となる。
【発明の開示】
【発明が解決しようとする課題】
【００１４】
しかし，図３に示した電子放出表示装置を実際に駆動した場合，データ電極と走査電極とが電気的に短絡する画素が出てくる。このとき，短絡したデータ電極を介して漏れ電流が流れる。従って，データ電極駆動部２０は，選択された画素のデータ電極Ｄ１〜Ｄｍに所望の電圧を印加するために高電流ＩＣを使用しなければならない。このため，従来の電子放出表示装置は，データ電極駆動部２０のコストが上昇し，かつ，電力消費量が大きいという問題点などがあった。
【００１５】
また，従来の電子放出表示装置では，データパルスＶＤの電圧レベルを増加させると，表示パネル１０に表示される映像の輝度を増加させることはできるが，選択されていない走査電極と上記データ電極間の電圧差も増加し，選択されていない画素が発光するという問題点が生じていた。このようにして，従来の駆動方法では表示パネル１０の輝度改善に限界があった。
【００１６】
本発明は，従来の電子放出表示装置が有する上記問題点に鑑みてなされたものであり，本発明の目的は，消費電極を減少させることが可能な，新規かつ改良された電子放出表示装置，表示パネルの駆動方法を提供することである。
【００１７】
また，本発明の他の目的は，表示パネルの輝度を改善させることが可能な電子放出表示装置，表示パネルの駆動方法を提供することにある。
【課題を解決するための手段】
【００１８】
上記課題を解決するために，本発明のある観点によれば，マトリックス状に配置された複数の走査電極とデータ電極とを備え，上記走査電極と上記データ電極との間に印加される電圧に応じて映像を表示する表示パネルと；上記データ電極に，データ信号として第１レベルの電圧を印加し，データ信号を伝達しないときには第２レベルの電圧を印加するデータ電極駆動部と；上記複数の走査電極のうち選択された走査電極には第３レベルの電圧を印加し，選択されていない走査電極には第４レベルの電圧を印加する走査電極駆動部と；映像信号の階調情報を用いて上記第４レベルの電圧を制御する電圧補償部と；を含むことを特徴とする，電子放出表示装置が提供される。
【００１９】
ここで，上記階調情報は外部から入力される映像信号の階調レベルに関する情報を示し，上記データ信号はこの階調レベルに基づいてデータ電極駆動部で生成される信号を示す。かかる階調情報は，フレーム内の階調レベルの平均値であっても良いし，階調レベルの最高値または最低値であるとしても良い。
【００２０】
上記映像信号をガンマー補正して上記データ電極駆動部へ伝送し，上記映像信号の上記階調情報を抽出して上記電圧補償部へ出力する映像信号処理部をさらに含むとしても良い。
【００２１】
上記映像信号処理部は，上記映像信号の階調情報をフレーム別に上記電圧補償部へ出力するとしても良い。
【００２２】
上記電圧補償部は，上記非選択走査電極に印加される上記第４レベルの電圧をフレーム別に制御するとしても良い。
【００２３】
上記データ電極駆動部は，上記映像信号に応じて，上記第１レベルの電圧が上記データ電極に印加される期間を制御するとしても良い。
【００２４】
上記電圧補償部は，上記第４レベルの電圧を，上記第１レベルと第２レベル間の電圧範囲で設定するとしても良い。
【００２５】
上記電圧補償部は，上記第４レベルの電圧を下記数式１で算出するとしても良い。
【数１】
2005316479.tif 000003
ただし，上記第４レベルの電圧をＶ４，上記走査電極の選択期間と，この期間の間に上記データ電極に上記第１レベルの電圧が印加される期間との比をｔｄ，上記第１レベルの電圧をＶ１，上記第２レベルの電圧をＶ２とする。
【００２６】
上記第３レベルの電圧は，一定に維持されるとしても良い。
【００２７】
上記電圧補償部は，上記映像信号の階調情報を用いて，上記データ電極に印加される上記第１レベルの電圧をさらに制御するとしても良い。
【００２８】
上記課題を解決するために，本発明の他の観点によれば，マトリックス状に配置された複数の走査電極とデータ電極とを備え，上記走査電極と上記データ電極との間に印加される電圧に応じて映像を表示する表示パネルと；上記データ電極に，映像信号に対応するデータ信号を印加するデータ電極駆動部と；上記走査電極に走査信号を印加する走査電極駆動部と；を含み，上記走査電極駆動部は，上記走査信号の電圧レベルを上記映像信号に対応して変化させることを特徴とする，電子放出表示装置が提供される。
【００２９】
上記走査電極駆動部は，上記複数の走査電極のうち選択されていない走査電極に印加される電圧を変化させるとしても良い。
【００３０】
上記走査電極駆動部は，上記映像信号のフレーム別の階調情報を用いて上記走査信号の電圧レベルを変化させるとしても良い。
【００３１】
上記データ電圧が第１および第２レベルの電圧を有する場合，上記選択されていない走査電極に印加される電圧は，上記第１レベルと第２レベル間の電圧範囲で設定されるとしても良い。
【００３２】
上記課題を解決するために，本発明のある観点によれば，マトリックス状に配置された複数の走査電極とデータ電極とを備え，上記走査電極と上記データ電極との間に印加される電圧に応じて映像を表示する表示パネルの駆動方法において：上記データ電極に，上記映像信号に対応するデータ信号を印加する第１段階と；上記複数の走査電極に第３レベルの走査パルスを順次印加した後，第４レベルの電圧を維持する第２段階と；を含み，上記第４レベルの電圧は一つのフレームと他のフレームでお互い異なるように設定されることを特徴とする，表示パネルの駆動方法が提供される。
【００３３】
上記第４レベルの電圧は上記映像信号の階調情報を用いて設定されるとしても良い。
【発明の効果】
【００３４】
以上説明したように本発明によれば，消費電力を減少し，表示パネルの輝度を改善させることが可能な電子放出表示装置，表示パネルの駆動方法を提供することができる。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。また，ある部分が他の部分と連結（接続）されているというとき，これは，直接連結されている場合だけでなく，その中間に他の素子を介して連結されている場合も含む。
【００３６】
図５は，本発明の一実施形態に係る電子放出表示装置を概略的に示す図である。
【００３７】
図５に示すように，本発明の一実施形態に係る電子放出表示装置は，表示パネル１００，データ電極駆動部２００，走査電極駆動部３００，映像信号処理部４００，電圧補償部５００を含んで構成される。
【００３８】
上記データ電極駆動部２００は，データ電極Ｄ１〜Ｄｍにデータ信号を印加し，上記走査電極駆動部３００は，走査電極Ｓ１〜Ｓｎに走査信号を印加する。
【００３９】
上記映像信号処理部４００は，入力された映像信号をガンマー補正してデータ電極駆動部２００へ伝送し，また，上記映像信号の階調情報を抽出して電圧補償部５００へ伝送する。本実施形態によれば，映像信号処理部４００は，入力される映像信号の階調情報をフレーム別に走査電極駆動部３００へ伝送する。
【００４０】
上記電圧補償部５００は，走査電極Ｓ１〜Ｓｎに印加される走査パルスの電圧レベルを制御することにより，短絡したデータ電極へ流れる漏れ電流を最小化する。上記短絡したデータ電極に流れる漏れ電流は，データ電極に印加されるデータパルスの維持期間が長いほど増加し，表示パネル１００に表示される映像の階調に影響される。したがって，電圧補償部５００は，映像信号処理部４００から伝送された映像の階調情報を用いて走査パルスの電圧レベルを制御する。
【００４１】
本実施形態によれば，電圧補償部５００は，フレーム別に走査パルスの電圧レベルを制御する。このような走査パルスの電圧レベル制御方法については後述する。
【００４２】
また，本実施形態に係る電子放出表示装置の表示パネル１００は，図１および図２に示すように形成することができ，実施形態によって様々な表示パネル１００を使用することができる。
【００４３】
また，カソード電極１１が走査電極として，ゲート電極１２がデータ電極として設けられるとしても良く，これとは逆に，カソード電極１１がデータ電極として，ゲート電極１２が走査電極として設けられるとしても良い。
【００４４】
図１および図２によれば，カソード電極１１上にゲート電極１２が絶縁層を介して形成されているが，実施形態によってはゲート電極をカソード電極の下に形成することもできる。
【００４５】
次に，図６〜図８を参照して，本発明の一実施形態に係る駆動方法について詳細に説明する。
【００４６】
図６は，データ電極および走査電極に印加される駆動電圧を示す図であり，ここでは，データ電極Ｄ１〜Ｄｍの中のｍ番目のデータ電極Ｄｍと，走査電極Ｓ１〜Ｓｎの中のｎ番目の走査電極Ｓｎとに印加される電圧を代表的に示している。
【００４７】
図６に示すように，区間Ｔ１で，データ電極Ｄｍには高レベルのデータパルスＶ１（第１レベル）が印加され，走査電極Ｓｎには低レベルの走査パルスＶ３（第３レベル）が印加される。この際，データ電極Ｄｍと走査電極Ｓｎとの間に印加される電圧（Ｖ１−Ｖ３）によってエミッタから電子が放出され，放出された電子がアノードに形成された蛍光面に衝突して映像が表示される。
【００４８】
区間Ｔ２において，データ電極Ｄｍには低レベルの電圧Ｖ２（第２レベル）が印加され，走査電極Ｓｎには低レベルの電圧Ｖ３が印加される。したがって，データ電極Ｄｍと走査電極Ｓｎとの間に印加される電圧が減少し（Ｖ２−Ｖ３），エミッタから電子が放出されなくなる。
【００４９】
このように，図６におけるデータパルスの持続期間Ｔ１によって映像の階調が表現され，所望の映像を表示パネル１００に表示することができる。
【００５０】
以下，走査電極Ｓｎに走査パルスが印加される画素選択時間（Ｔ１＋Ｔ２）と，データ電極Ｄｍにデータパルスが印加される持続期間Ｔ１との比を「階調表現比ｔｄ」と定義する。
【００５１】
次に，電圧補償部５００が走査電極に印加される走査パルスの制御方法について説明する。
【００５２】
表示パネル１００において，データ電極と走査電極との間に電気的な短絡状態が発生した場合，データ電極を介して漏れ電流が発生する。この際，大部分の漏れ電流は，走査パルスＶ３が印加されていない，すなわち高レベルの電圧Ｖ４（第４レベル）が印加されている走査電極（以下，「非選択走査電極」という）とデータ電極間の電圧差によって生じる。
【００５３】
具体的には，非選択走査電極に印加される電圧Ｖ４がデータパルスの低レベルの電圧Ｖ２と実質的に同一に設定された場合，データ電極に流れる漏れ電流Ｉｄは，数式２のようになる。
【数２】
2005316479.tif 000004
ここで，Ｖｄはデータ電極に印加される電圧，ｔｄは階調表現比，Ｒｄはデータ電極の内部抵抗をそれぞれ示す。
【００５４】
上記数式２に示したように，非選択走査電極に印加される電圧Ｖ４がデータパルスの低レベルの電圧Ｖ２と実質的に同一に設定された場合，データ電極に印加される電圧が低レベルＶ２から高レベルＶ１に変更されるとき，瞬間的に多量の電流がデータ電極に流れる。これは，データ電極駆動部２００に大きな負担となる。
【００５５】
したがって，上記のように設定された場合には，表示パネル１００に表示される映像の階調が全体的に高いほど（例えば，全面に白色（ｗｈｉｔｅ）が表示された場合），データ電極駆動部２００の負担は大きくなる。
【００５６】
これとは逆に，非選択走査電極に印加される電圧Ｖ４が，データパルスの高レベルの電圧Ｖ１と実質的に同一に設定された場合，データ電極に流れる漏れ電流Ｉｄは，数式３のようになる。
【数３】
2005316479.tif 000005
かかる数式３の定義は，数式２と等しい。
【００５７】
このような場合，数式３から分かるように，データパルスが高レベルＶ１から低レベルＶ２に変更されたとき，データ電極に，瞬間的に高い電流が流れる。すなわち，全体的に暗い画面の階調を表現する場合，データ電極駆動部２００の負担が大きくなる。この際のデータ電極に流れる電流は，数式２での電流と逆の方向に流れる。
【００５８】
したがって，非選択走査電極に印加される電圧Ｖ４をデータパルスの高レベルＶ１と低レベルＶ２との間で適切に設定する必要がある。
【００５９】
非選択走査電極に印加される電圧Ｖ４を，電圧Ｖ１と電圧Ｖ２との間で設定する場合，図６の区間Ｔ１ではデータ電極から走査電極へ数式４の電流（以下，「正の漏れ電流」という）が流れ，区間Ｔ２では走査電極からデータ電極へ数式５の電流（以下，「負の漏れ電流」という）が流れる。
【数４】
2005316479.tif 000006
【数５】
2005316479.tif 000007
【００６０】
このようにして，データパルスが高レベルを維持する間，データ電極に正の漏れ電流（Ｉｄ＋）が流れ，データパルスが低レベルを維持する間，データ電極に陰の漏れ電流（Ｉｄ−）が流れる。したがって，データ電極に流れる漏れ電流の量が相対的に減少し，かつ，漏れ電流が流れるタイミングも分散され，データ電極駆動部２００の負担を効果的に減らすことができる。
【００６１】
このとき，正の漏れ電流（Ｉｄ＋）と負の漏れ電流（Ｉｄ−）が実質的に同一になると，データ電極に流れる電流は平均的に０となり，データ電極駆動部２００の負担を最も減らすことができる。
【００６２】
下記数式６は，正の漏れ電流（Ｉｄ＋）と負の漏れ電流（Ｉｄ−）が実質的に同一の場合の非選択走査電極に印加される電圧Ｖ４′を表わすものである。
【数６】
2005316479.tif 000008
【００６３】
ＰＷＭ駆動方式を採用する場合，データパルスの高レベルＶ１と低レベルＶ２は一定に維持されるので，非選択走査電極に印加される電圧は映像信号の階調表面比ｔｄに比例して増加する。
【００６４】
したがって，１フレームの映像信号毎に階調表現比ｔｄを計算し，計算された階調表現比ｔｄに応じて非選択走査電極に印加される電圧を制御することにより，データ電極と走査電極との間に短絡状態が生じた場合においてもデータ電極に流れる漏れ電流を最小化することができる。
【００６５】
図７は，本発明の一実施例に係る電子放出表示装置の駆動波形を示す図であり，図８は第１フレームと第２フレームにおける走査パルスを拡大して示した図である。
【００６６】
図７および図８は，第１フレームより第２フレームの階調がさらに高い場合を示しており，ここでは非選択走査電極に印加される電圧が第２フレームでさらに高く設定されている。
【００６７】
また，選択走査電極に印加される走査パルスの電圧Ｖ３は，第１フレームと第２フレームで実質的に同一に設定される。したがって，エミッタから電子を放出させるデータパルスＶ１と走査パルスＶ３間の電圧差は継続的に維持されるので，映像表示には影響が及ばない。
【００６８】
また，本発明の一実施形態のように非選択走査電極の電圧Ｖ４をデータパルスの低レベル電圧Ｖ２より高く設定すると，データパルスの高レベル電圧Ｖ１をある程度高くした場合においても，非選択走査電極とデータ電極間の電圧差（Ｖ１−Ｖ４）による発光が生じない。したがって，従来の駆動方法に比べてデータパルスの高レベルをさらに高めることができ，電子放出表示装置の輝度も高めることができる。
【００６９】
すなわち，本発明の他の実施形態によれば，電圧補償部５００は，映像信号の階調情報を用いて非選択走査電極の電圧Ｖ４を制御し，さらに，データ電極Ｄ１〜Ｄｍに印加されるデータパルスの電圧Ｖ１を制御することにより，電子放出表示装置の輝度を高めることができる。
【００７０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７１】
例えば，上記の実施形態では，映像信号処理部４００から電圧補償部５００へ映像信号の階調情報を伝送すると説明したが，実施形態によっては，電圧補償部５００がデータ電極駆動部２００から階調情報を抽出して用いるとしても良い。また，電圧補償部５００は，走査電極駆動部３００と別体に形成されるとして説明したが，走査電極駆動部３００の内部に形成されるとしても良いことは言うまでもない。
【産業上の利用可能性】
【００７２】
本発明は，表示装置である電子放出表示装置（Ｅｌｅｃｔｒｏｎ Ｅｍｉｓｓｉｏｎ Ｄｉｓｐｌａｙ）およびその駆動方法に適用可能である。
【図面の簡単な説明】
【００７３】
【図１】電子放出表示装置の表示パネルを示す部分分解斜視図である。
【図２】電子放出表示装置の表示パネルの断面図である。
【図３】従来の電子放出表示装置を示す断面図である。
【図４】従来の電子放出表示装置の駆動波形図である。
【図５】本発明の一実施形態に係る電子放出表示装置を概略的に示す図である。
【図６】データ電極および走査電極に印加される電圧を示す図である。
【図７】第１フレームと第２フレームにおける本発明の一実施形態に係る電子放出表示装置の駆動波形図である。
【図８】図７の第１フレームと第２フレームの走査信号を比較して示す図である。
【符号の説明】
【００７４】
１００    表示パネル
２００    データ電極駆動部
３００    走査電極駆動部
４００    映像信号処理部
５００    電圧補償部
【図１】
2005316479.tif 000010
【図２】
2005316479.tif 000011
【図３】
2005316479.tif 000012
【図４】
2005316479.tif 000013
【図５】
2005316479.tif 000014
【図６】
2005316479.tif 000015
【図７】
2005316479.tif 000016
【図８】
2005316479.tif 000017